(57)【要約】【課題】  盗難防止機能を実現しつつ、ユーザの利便性を向上させることのできるパーソナルコンピュータ、及び電源アダプタを提供する。【解決手段】  電源アダプタ２０は、ＤＣ出力プラグ２４でノートＰＣ１０と接続されて電力を供給する。また、ＤＣ出力プラグ２４に固定ワイヤ２５を接続させ、固定ワイヤ２５で机１に固定することができる。さらに、ＤＣ出力プラグ２４はノートＰＣ１０のプラグ挿入口で係止させるようにする。当該係止は固定ワイヤ２５のＤＣ出力プラグ２４に設けられた鍵穴で開錠することにより解除される。【選択図】      図１
2007164358.tif 000002
【特許請求の範囲】
【請求項１】
電源を供給する電源アダプタのプラグが挿入されるプラグ挿入部と、
前記プラグ挿入部に電気的に接続されることにより前記電源アダプタからの電力供給を受け、種々の情報処理を行う情報処理手段と、
前記プラグ挿入部内に設けられ、前記プラグを係止すると共に、前記電源アダプタに設けられた錠部が開錠されることにより前記プラグの係止を解除する係止部と
を備えることを特徴とするパーソナルコンピュータ。
【請求項２】
前記係止部は、前記プラグの回転位置に応じて、前記プラグを係止するか否かを切り換えること
を特徴とする請求項１記載のパーソナルコンピュータ。
【請求項３】
請求項１記載のパーソナルコンピュータにおいて、
前記情報処理手段での情報処理を開始させるための電源ボタンと、
前記電源ボタン押下時に、前記情報処理手段への電力供給を行うか否かを切り換える第１の切換部と
をさらに備えることを特徴とするパーソナルコンピュータ。
【請求項４】
前記第１の切換部は、前記プラグの回転位置に応じて、前記電源ボタン押下時に、前記情報処理手段への電力供給を行うか否かを切り換えること
を特徴とする請求項３記載のパーソナルコンピュータ。
【請求項５】
請求項１記載のパーソナルコンピュータにおいて、
バッテリと、
前記プラグ挿入部に前記プラグが挿入された前記電源アダプタにより前記バッテリへの電力供給を行うか否かを切り換える第２の切換部と
をさらに備えることを特徴とするパーソナルコンピュータ。
【請求項６】
前記第２の切換部は、前記プラグの回転位置に応じて、前記バッテリへの電力供給を行うか否かを切り換えること
を特徴とする請求項６記載のパーソナルコンピュータ。
【請求項７】
コンセントから供給される電力を伝達する電力ケーブルと、
前記電力ケーブルに電気的に接続されて前記パーソナルコンピュータへ電力を供給すると共に、前記パーソナルコンピュータに係止されるプラグと、
移動を制限するための移動制限部材と、
鍵で開錠することにより、前記プラグの前記パーソナルコンピュータへの係止を解除する錠部と
を備えることを特徴とする電源アダプタ。
【発明の詳細な説明】
【技術分野】
【０００１】
本発明は、例えばノート型パーソナルコンピュータ等のパーソナルコンピュータ、及びこのパーソナルコンピュータに電力を供給する電源アダプタに関する。
【背景技術】
【０００２】
近年、携帯性を重視した、例えばノート型パーソナルコンピュータ（以下、ノートＰＣ）が普及しているが、このような携帯性に優れた機器は盗難に遭い易い。その機器自体のみならず、その内部のＨＤＤ（Ｈａｒｄ  Ｄｉｓｋ  Ｄｒｉｖｅ）等の記憶媒体に記憶された個人情報や営業秘密等を保護するため、ＰＣの盗難防止対策は近年重要な問題となっている。そこで、盗難防止策としてケンジントンロックを用いる手法が普及しつつある（例えば、特許文献１参照）。ケンジントンロックとは、盗難防止用のワイヤ（以下、固定用ワイヤ）を取り付ける穴のことであり、当該ワイヤをケンジントンロックに取り付けて机などに固定することにより、盗難を防止することができる。
【特許文献１】特開平１１−０７３２４１号公報
【発明の開示】
【発明が解決しようとする課題】
【０００３】
しかしながら、このようなケンジントンロックにワイヤを取り付ける手法は、固定用ワイヤを別途購入し、取り付ける必要があるためユーザにとって利便性が高いものとは言い難い。
【０００４】
そこで本発明は、盗難防止機能を実現しつつ、ユーザの利便性を向上させることのできるパーソナルコンピュータ、及び電源アダプタを提供することを目的とする。
【課題を解決するための手段】
【０００５】
上記目的を達成するために、本発明のパーソナルコンピュータは、電源を供給する電源アダプタのプラグが挿入されるプラグ挿入部と、前記プラグ挿入部に電気的に接続されることにより前記電源アダプタからの電力供給を受け、種々の情報処理を行う情報処理手段と、前記プラグ挿入部内に設けられ、前記プラグを係止すると共に、前記電源アダプタに設けられた錠部が開錠されることにより前記プラグの係止を解除する係止部とを備えることを特徴とする。
【０００６】
本発明の電源アダプタは、コンセントから供給される電力を伝達する電力ケーブルと、前記電力ケーブルに電気的に接続されて前記パーソナルコンピュータへ電力を供給すると共に、前記パーソナルコンピュータに係止されるプラグと、移動を制限するための移動制限部材と、鍵で開錠することにより、前記プラグの前記パーソナルコンピュータへの係止を解除する錠部と
【０００７】
を備えることを特徴とする。
【発明の効果】
【０００８】
本発明によれば、盗難防止機能を実現しつつ、ユーザの利便性を向上させることのできるパーソナルコンピュータ、及び電源アダプタを提供することができる。
【発明を実施するための最良の形態】
【０００９】
以下、本発明のパーソナルコンピュータ及び電源アダプタについて、図面を参照しながら説明する。
【実施例１】
【００１０】
図１は、本発明のパーソナルコンピュータの実施例に係るノート型パーソナルコンピュータ（以下、ノートＰＣ）及び電源アダプタが使用されるシステムの構成を示す図である。
【００１１】
本システムは、机１の上に載置されるノートＰＣ１０と、ノートＰＣ１０に電源を供給する電源アダプタ２０とから構成される。
ノートＰＣ１０は、大きく分けて本体部１１と、表示筐体１２とから構成される。本体部１１には入力インタフェースであるキーボード等が実装される他、内部にはＣＰＵ（Ｃｅｎｔｒａｌ  Ｐｒｏｃｅｓｓｉｎｇ  Ｕｎｉｔ）やメモリ、ＨＤＤ（Ｈａｒｄ  Ｄｉｓｋ  Ｄｒｉｖｅ）、バッテリ等が実装される。
【００１２】
表示筐体１２は、本体部１１に取り付けられており、キーボードを閉塞する閉塞位置と、開放位置との間で回動可能となっている（図１は、開放位置にある場合の図）。表示筐体１２には、ＬＥＤ（Ｌｉｑｕｉｄ  Ｃｒｙｓｔａｌ  Ｄｉｓｐｌａｙ）が実装され、当該ＬＥＤは表示インタフェースとして使用される。
【００１３】
また、ＰＣ１０の本体部１１の右側面には、電源アダプタ２０のＤＣ出力プラグ２４が接続されるプラグ挿入口が設けられる。当該プラグ挿入口にＤＣ出力プラグ２４が接続されている際には、ＰＣ１０はプラグ挿入口を介して当該ＤＣ出力プラグ２４からの電力供給を受ける。また、詳しくは後述するが、ＤＣ出力プラグ２４のプラグ挿入口への挿入の際に、当該ＤＣ出力プラグ２４を係止する機構も有している。
【００１４】
更に、ＤＣ出力プラグ２４のプラグ挿入口への挿入位置に応じて複数のモードが設定できるようになっており、ＰＣ１０を起動可能とするか否か、及びバッテリへの充電を行えるか否か、ＤＣ出力プラグ２４を挿抜可能とするか否かを切り換えられる。
【００１５】
電源アダプタ２０は、大きくわけて電源プラグ２１と、ケーブル２２ａ及びケーブル２２ｂと、コンバータ２３と、ＤＣ出力プラグ２４、固定ワイヤ２５とから構成される。
【００１６】
電源プラグ２１は、コンセント２等に接続され、コンセント２から交流電力の供給を受けるためのものである。
コンバータ２３は、電源プラグ２１とケーブル２２ａを介して電気的に接続される、コンセント２から入力された交流電力を直流電力に変換するコンバータである。
ＤＣ出力プラグ２４は、コンバータ２３にケーブル２２ｂを介して電気的に接続される。コンバータ２３で変換された直流電力をＰＣ１０に供給するためのプラグである。先述の、ＰＣ１０に設けられたプラグ挿入口に挿入される。
【００１７】
また、詳しくは後述するがＤＣ出力プラグ２４には鍵穴が形成されており、当該鍵穴で鍵を用いて開錠することにより、ＰＣ１０のプラグ挿入口でＤＣ出力プラグ２４が係止された際に、これを解除することができる。
【００１８】
さらに、ＤＣ出力プラグ２４には、固定ワイヤ２５が物理的に接続されている。固定ワイヤ２５は、机や床等に固定してＰＣ１０の盗難防止のために設けられるものである。図１の例では、固定ワイヤ２５は、机１の脚に固定されており、ノートＰＣ１０の移動範囲を制限している。
【００１９】
図２は、ＤＣ出力プラグ２４の外観を示す図である。図２（ａ）はＤＣ出力プラグ２４の長手方向の側面を示した図である。
ＤＣ出力プラグ２４は、大きく分けて本体部２４ａと、通電部２４ｂと、鍵部２４ｃとから構成される。
本体部２４ａは、略円筒形状をしており、円筒側面部２４ａ１と、円筒側面部２４ａ１と略垂直を為し、通電部２４ｂ側に設けられる下面部２４ａ２と、前記下面部２４ａ２と対向し、前記円筒側面部２４ａ１と略垂直を為す上面部２４ａ３とから構成される。
【００２０】
円筒側面部２４ａ１は、本体部２４ａの側面をなし、ＤＣ出力プラグ２４の長手方向に円筒形に形成される。また、固定ワイヤ２５は、円筒側面部２４ａ１に物理的に接続されており、円筒側面部２４ａ１から固定ワイヤ２５を取り外すことはできない。
【００２１】
下面部２４ａ２は、本体部２４ａの通電部２４側の側面をなす。通電部２４ｂは、通電部側側面２４ａ２の中央に、筒状に突出する。
上面部２４ａ３は、本体部２４ａの側面をなし、下面部２４ａ２と対向すると共に、円筒側面部２４ａ１と略垂直を為す。上面部２４ａ３は略円形であり、中央付近に鍵穴が形成される。
【００２２】
図２（ｂ）はＤＣ出力プラグ２４を上面部２４ａ３側（図２（ａ）の矢印ａ方向）から見た外観図である。
上面部２４ａ３には、中央付近に円形の鍵穴２４ａ４が形成される。この鍵穴２４ａ４は鍵を差し込んで開錠するために形成された穴である。図２（ａ）の矢印ａ方向から鍵を鍵穴２４ａ４に差し込み、所定方向に回して開錠すると、鍵部２４ｃによるノートＰＣ１０への係止が解除され、ＤＣ出力プラグ２４をノートＰＣ１０から取り外せるようになる。
【００２３】
また、上面部２４ａ３には、鍵穴２４ａ４よりも外周側に、ケーブル２２ｂが接続されている。尚、ケーブル２２ｂは上面部２４ａ３から取り外すことはできない。
図２（ａ）に戻り、通電部２４ｂは、先述の通り下面部２４ａ２の中央に、筒状に突出している。通電部２４ｂは導体で形成されており、ノートＰＣ１０へのＤＣ出力プラグ２４接続時に、ケーブル２２ｂから入力される電力を、ノートＰＣ１０へ供給するための出力端子である。尚、ノートＰＣ１０へのＤＣ出力プラグ２４接続時には、通電部２４ｂ及び鍵部２４ｃがプラグ挿入口に挿入され、本体部２４ａはプラグ挿入口には挿入されない。
【００２４】
鍵部２４ｃは、通電部２４ｂの先端に取り付けられる。本実施例では、鍵部２４ｃは突出部２４ｃ１及び２４ｃ２を有する鍵の形状をしている。ノートＰＣ１０のプラグ挿入口は、これらの突出部で鍵部２４ｃを係止する。ノートＰＣ１０のプラグ挿入口への挿入時に係止されるのは鍵部２４ｃである。鍵穴２４ａ４に鍵を挿入して開錠すると、鍵部２４ｃの係止が解除される。
【００２５】
図３（ａ）は、ノートＰＣ１０を右側面側から見た外観を示す図である。
本体部１１には、右側面部１３を有する。右側面部１３には、ＤＣ出力プラグ２４が挿入されるプラグ挿入口１４が形成される。
図３（ｂ）は、プラグ挿入口１４の断面を示す図（図３（ａ）中ｂ−ｂ’での断面）である。
プラグ挿入口１４は、ＤＣ入力プラグ１４ｂと、鍵挿入部１４ａとから構成される。
ＤＣ入力プラグ１４ｂは、ＤＣ出力プラグ２４のプラグ挿入口１４への挿入時に通電部２４ｂと接触し、ＤＣ出力プラグ２４から供給される電力を、ノートＰＣ内のＣＰＵ等の情報処理回路やバッテリ等に供給するための入力端子である。
【００２６】
鍵挿入部１４ａには、鍵挿入口１４ｃが形成されており、ＤＣ出力プラグ２４のプラグ挿入口１４への挿入時には、鍵挿入口１４ｃに鍵部２４ｃが挿入される。モード（後述）にもよるが、通常、ＤＣ出力プラグ２４のプラグ挿入口１４への挿入時には、鍵挿入部１４ａは鍵部２４ｃを突出部２４ｃ１及び２４ｃ２で係止する。この係止は、ＤＣ出力プラグ２４の鍵穴２４ａ４での鍵による開錠により解除される。後述Ｆｒｅｅモードにおいては、鍵挿入部１４ａは鍵部２４ｃを係止しないので、ＤＣ出力プラグ２４は挿抜自由である。
【００２７】
扉等に取り付けられている施錠部は、鍵の回転時には係止されて挿抜不能であるが、ある一定の回転角度に達すると（最も右／左に回転させたとき）、鍵穴から鍵を挿抜できるようになる。鍵挿入部１４ａでは、このような挿抜の可否を、回転角度に応じてではなく、モードに応じて切り換えるようにしている。
【００２８】
また、鍵挿入部１４ａは鍵部２４ｃの挿入方向を軸に回転可能となっており、その回転位置に応じて各種モードを設定できるようになっている。本実施例では、図３（ａ）に示すように、ＤＣ出力プラグ２４のプラグ挿入口への挿入後、右方向に−４５度回転させればＬｏｃｋモード１、回転させなければＬｏｃｋモード２、右方向に４５度回転させればＬｏｃｋモード３、右方向に９０度回転させればＦｒｅｅモードとなる。各種モードの内容については、図５を参照しながら後に後述する。
【００２９】
図４は、ＰＣ１１の電源回路周辺に係る構成を示す図である。
ＰＣ１１は、ＤＣ入力プラグ１４ｂと、電源スイッチ４０と、切換部４１と、電源回路４２と、切換部４３と、バッテリ４４と、電源切換部４５と、情報処理回路４６と、Ｉ／Ｏハブ４７と、ＥＣ（エンベデッドコントローラ）４８とから構成される。尚、図中実線と破線とがあるが、実線は電力、破線は制御信号を示す。
【００３０】
電源スイッチ４０は、ユーザがノートＰＣ１０を起動させる際に押下するボタンである。ノートＰＣの起動が許されているモードでは、電源スイッチ４０を押下することにより、電源回路４２から情報処理回路４６への電源供給を行い、ＢＩＯＳ（Ｂａｓｉｃ  Ｉｎｐｕｔ  Ｏｕｔｐｕｔ  Ｓｙｓｔｅｍ）、ＯＳ（Ｏｐｅｒａｔｉｎｇ  Ｓｙｓｔｅｍ）等のプログラムが実行される。
【００３１】
切換部４１は、ＥＣ４８の制御の下、電源スイッチ４０の押下を電源回路４２に信号として（以下、この信号を起動信号と呼ぶ）伝えるか否かを切り換えるスイッチである。即ち、電源スイッチ４０の押下に伴う起動信号を電源回路４２に伝えない場合には、電源回路４２から情報処理回路４６への電源供給が行われず、電源スイッチ４０が押されても起動しない。
【００３２】
電源回路４２は、ＤＣ入力プラグ１４ｂと電気的に接続されると共に、切換部４３を介してバッテリ４４と電気的に接続されており、ＤＣ入力プラグ１４ｂ又はバッテリ４４から供給された電力をノートＰＣ１０内の各部に供給する電源回路である。電源スイッチの押下に伴う起動信号が切換部４１を介して入力されると、電源回路４２は、ＤＣ入力プラグ１４ｂ、若しくはバッテリ４４から供給される電力を情報処理回路４６に供給する。これに伴い情報処理回路４６はＢＩＯＳ、ＯＳ等のプログラムを実行し、ユーザはノートＰＣ１０での各種情報処理を行えるようになる。
【００３３】
また、ＤＣ入力プラグ１４ｂから入力された電力は、電源回路４２を介してバッテリ４４に供給され、バッテリ４４の充電を行うこともできる。
切換部４３は、ＥＣ４８の制御の下、バッテリ４４と電源回路４２とを電気的に接続するか否か（短絡するか否か）を切り換えるスイッチである。即ち、切換部４３がバッテリ４４と電源回路４２とを接続していない場合には、ＤＣ入力プラグ１４ｂから電源回路４２を介して供給される電力は、バッテリ４４までは供給されず、即ちバッテリ４４は充電されないこととなる。
【００３４】
バッテリ４４は、ＤＣ入力プラグ１４ｂへの電力供給が行われていない場合、即ち電源アダプタ２０がコンセントに接続されていない場合や、電源アダプタ２０がプラグ挿入口１４に挿入されていない場合に、ノートＰＣ１０の電力供給源となる。バッテリ４４に蓄えられた電力は、電源回路４２を介して情報処理回路４６に供給される。また、切換部４３の短絡時には、ＤＣ入力プラグ１４ｂから供給された電力が電源回路４２を介してバッテリ４４へ供給されることにより、バッテリ４４を充電することができる。
【００３５】
電源切換部４５は、Ｉ／Ｏハブ４７及びＥＣ４８への電力供給源を、ＤＣ入力プラグ１４ｂ及びバッテリ４４のいずれを切り換えることにより、Ｉ／Ｏハブ４７及びＥＣ４８に対して常に電力を供給するためスイッチである。即ち、Ｉ／Ｏハブ４７及びＥＣ４８には、ノートＰＣ１０の非起動時であっても、バッテリ４４若しくはＤＣ入力プラグ１４ｂのいずれかから常に電力が供給されている。しかしながら、電源アダプタ２０からＤＣ入力プラグ１４ｂへの電力供給がなく、且つバッテリ４４に放電可能な電力が残っていない場合にはこの限りではない。
【００３６】
情報処理回路４６は、ＣＰＵ、メモリ、ＨＤＤ（Ｈａｒｄ  Ｄｉｓｋ  Ｄｒｉｖｅ）、グラフィックコントローラ（以上いずれも図示せず）等から構成され、ノートＰＣ１０の起動時に各種情報処理を実行する回路である。尚、Ｉ／Ｏハブ４７及びＥＣ４８も情報処理回路４６の一部を構成する。情報処理回路４６の各構成要素は、Ｉ／Ｏハブ４７及びＥＣ４８を除き、電源回路４２から電力供給を受ける。即ち、切換部４１で電源回路４２への起動信号を伝達しないようになっている場合には、電源回路４２から情報処理回路４６への電力供給が行われないので、情報処理回路４６は動作しない。
【００３７】
Ｉ／Ｏハブ４７は、ＤＣ出力プラグ２４のプラグ挿入口１４への挿入時の、鍵挿入部１４ｂの回転角度（即ちＤＣ出力プラグ２４の挿入位置）に応じて、ユーザによるモード設定を検出し、内蔵レジスタ１４ｂに反映させる。角度とモードの関係については、図３の説明で上述したのでここでは省略するが、本実施例では回転角度に応じてＬｏｃｋモード１、Ｌｏｃｋモード２、Ｌｏｃｋモード３、及びＦｒｅｅモードの４つのモードを設定することができる。
【００３８】
ＥＣ４８は、内蔵レジスタ１４ｂに設定されたモードに応じて、切換部４１及び切換部４３を制御して、各スイッチによる接続／非接続を切り換える。
図５は、各モードの設定を示す図である。
Ｌｏｃｋモード１では、ノートＰＣ１０の起動、バッテリ４４の充電、及びＤＣ出力プラグ２４の抜き差しは全て不可となっている。詳述すると、ユーザがＤＣ出力プラグ２４を挿入後−４５度回転させた場合には、Ｌｏｃｋモード１とする設定が内蔵レジスタ１４ｂに格納される。ＥＣ４８はこの設定に基づいて切換部４１を開放し、電源スイッチ４０からの起動信号を電源回路４２に伝達しないようにしてＰＣ１０の起動を防ぐ。また、ＥＣ４８は切換部４３も同様に開放し、電源回路４２からバッテリ４４への電力供給が行われないように、即ちバッテリ４４が充電されないようにする。更に、鍵挿入部１４ａは鍵部２４ｃを係止し、鍵穴２４ａ４で開錠しない限り、ＤＣ出力プラグ２４をプラグ挿入口１４から抜けなくする。ＤＣ出力プラグ２４には固定ワイヤ２５が接続され、固定ワイヤ２５は机に固定されているためノートＰＣ１０の盗難を防止することができる。
【００３９】
Ｌｏｃｋモード２では、ノートＰＣ１０の起動、及びＤＣ出力プラグ２４の抜き差しが不可であり、バッテリ４４の充電は可となっている。詳述すると、ユーザがＤＣ出力プラグ２４を挿入後、当該プラグを回転させなかった場合には、Ｌｏｃｋモード２とする設定が内蔵レジスタ１４ｂに格納される。ＥＣ４８はこの設定に基づいて切換部４１を開放し、電源スイッチ４０からの起動信号を電源回路４２に伝達しないようにしてＰＣ１０の起動を防ぐ。一方でＥＣ４８は切換部４３は短絡し、電源回路４２からバッテリ４４への電力供給を行い、充電できるようにする。更に、鍵挿入部１４ｂは鍵部２４ｃを係止し、鍵穴２４ａ４で開錠しない限り、ＤＣ出力プラグ２４をプラグ挿入口１４から抜けなくする。
【００４０】
Ｌｏｃｋモード３では、ＤＣ出力プラグ２４の抜き差しは不可であるが、ノートＰＣ１０の起動、及びバッテリ４４の充電は可である。詳述すると、ユーザがＤＣ出力プラグ２４を挿入後、当該プラグを４５度回転させた場合には、Ｌｏｃｋモード３とする設定が内蔵レジスタ１４ｂに格納される。ＥＣ４８はこの設定に基づいて、切換部４１及び切換部４３を短絡する。これにより、電源スイッチ４０の起動信号が電源回路４２に伝達されるようになるので、電源スイッチ４０が押下されることにより電源回路４２から信号処理回路４６への電力供給が行われて起動する。また、電源回路４２からバッテリ４４への電力が供給され、バッテリ４４を充電できるようになる。
【００４１】
一方で、鍵挿入部１４ｂは鍵部２４ｃを係止し、鍵穴２４ａ４で開錠しない限り、ＤＣ出力プラグ２４をプラグ挿入口１４から抜けなくする。
Ｆｒｅｅモードでは、ノートＰＣ１０の起動、バッテリ４４の充電、及びＤＣ出力プラグ２４の抜き差しの全てが認められている。詳述すると、ユーザがＤＣ出力プラグ２４を挿入後、当該プラグを９０度回転させた場合には、Ｆｒｅｅモードとする設定が内蔵レジスタ１４ｂに格納される。ＥＣ４８はこの設定に基づいて、切換部４１及び切換部４３を短絡する。これにより、電源スイッチ４０の起動信号が電源回路４２に伝達されるようになり、ノートＰＣ１０が起動可能となる。また、電源回路４２からバッテリ４４への電力供給が行われ、バッテリ４４を充電することができる。さらに、鍵挿入部１４ｂは鍵部２４ｃを係止せず、ユーザはいつでもＤＣ出力プラグ２４を抜くことができる。
【００４２】
以上説明したように、本実施例によれば、電源アダプタ２０が固定ワイヤ２５も有するため、固定ワイヤ２５を電源アダプタ２０と別途購入せずとも、固定ワイヤ２５を机１等に固定することにより盗難を防止することができるようになる。
【００４３】
次に、固定ワイヤ２５と電源アダプタ２０の双方を別々に取り付ける場合と比して、作業量も半減させることが可能となる。また、プラグ挿入口の他にケンジントンロックを設ける必要がないため、構成も簡略化することができる。
【００４４】
固定ワイヤ２５は物理的な盗難から防止する機能を提供するが、ノートＰＣ１０内のデータを守るためにはパスワード等で別途これを守る必要があった。しかしながら、本実施例ではＤＣ出力プラグ２４の挿入により、固定ワイヤ２５による物理的な盗難防止に加えて、切換部４１を開放して起動を不可とすることができるようになり、データ保護の役割を果たすこともできる。また、切換部４３を解放させるバッテリ４４への充電も不可とすることができるので、電気的な盗難も防止することができるようになる。
【００４５】
また、本実施例ではＤＣ出力プラグ２４の挿入位置に応じて複数のモードを設定することができるので、ユーザのノートＰＣ１０の使用状況に応じて、様々なセキュリティレベルを設定できるようになる。
【図面の簡単な説明】
【００４６】
【図１】本発明の実施例１に係るノートＰＣ及び電源アダプタが使用されるシステムの構成を示す図。
【図２】本発明の実施例１に係る電源アダプタのＤＣ出力プラグの外観を示す図。
【図３】本発明の実施例１に係るノートＰＣのプラグ挿入口を示す図。
【図４】本発明の実施例１に係るノートＰＣの構成を示す図。
【図５】本発明の実施例１に係るノートＰＣの有するセキュリティモードを示す図。
【符号の説明】
【００４７】
１・・・机
２・・・コンセント
１０・・・ノートＰＣ
１１・・・本体部
１２・・・表示筐体
１３・・・右側面部
１４・・・プラグ挿入口
１４ａ・・・鍵挿入部
１４ｂ・・・ＤＣ入力プラグ
１４ｃ・・・鍵挿入口
２０・・・電源アダプタ
２１・・・電源プラグ
２２ａ、２２ｂ・・・ケーブル
２３・・・コンバータ
２４・・・ＤＣ出力プラグ
２４ａ・・・本体部
２４ａ１・・・円筒側面部
２４ａ２・・・通電部側側面部
２４ａ３・・・鍵穴側面部
２４ａ４・・・鍵穴
２４ｂ・・・通電部
２４ｃ・・・鍵部
２５・・・固定ワイヤ
４０・・・電源スイッチ
４１・・・切換部
４２・・・電源回路
４３・・・切換部
４４・・・バッテリ
４５・・・電源切換部
４６・・・情報処理回路
４７・・・Ｉ／Ｏハブ
４８・・・ＥＣ
【図１】
2007164358.tif 000003
【図２】
2007164358.tif 000004
【図３】
2007164358.tif 000005
【図４】
2007164358.tif 000006
【図５】
2007164358.tif 000007